(57)【要約】【課題】  ユーザーの嗜好に合わせた様々な加飾を低廉に実現する内幕板部材を提供する。【解決手段】  本発明に係る内幕板部材５は、キャビネット２の引出３の前板３ａの下方で引出４の前板４ａの上方に、前板３ａ及び前板４ａから奥まって設けられる内幕板６と、内幕板６の上端部から前方に延在する上板７と、内幕板６の下端部から前方に延在して上板７に対向する下板８とを有し、上板７及び下板８に、内幕板６の前面を覆う化粧板１５を保持する保持部が設けられている。【選択図】  図１
2015217177.tif 000002
【特許請求の範囲】
【請求項１】
キャビネットの扉又は引出の前板の上方又は下方に、前記扉又は前記前板から奥まって設けられる内幕板と、前記内幕板の上端部から前方に延在する上板と、前記内幕板の下端部から前方に延在して前記上板に対向する下板とを有し、
前記上板及び前記下板に、前記内幕板の前面を覆う化粧板を保持する保持部が設けられていることを特徴とする内幕板部材。
【請求項２】
前記保持部は、複数の厚さの化粧板を保持可能に形成されていることを特徴とする請求項１に記載の内幕板部材。
【請求項３】
前記保持部は、前記内幕板と第一の距離だけ離間して対向し、一の厚さの化粧板の前面を保持する第一の保持面と、前記内幕板と第二の距離だけ離間して対向し、他の厚さの化粧板の前面を保持する第二の保持面とを有することを特徴とする請求項２に記載の内幕板部材。
【請求項４】
前記保持部は、一の厚さの化粧板の上端部又は下端部に当接して前記一の厚さの化粧板を保持するとともに、他の厚さの化粧板の上端部又は下端部に当接して前記他の厚さの化粧板を保持する保持斜面を有することを特徴とする請求項２に記載の内幕板部材。
【請求項５】
扉又は引出を有し、前記扉又は前記引出の前板の上方又は下方に内幕板部材が設けられたキャビネットであって、
前記内幕板部材は、前記扉又は前記前板から奥まって設けられる内幕板と、前記内幕板の上端部から前方に延在する上板と、前記内幕板の下端部から前方に延在して前記上板に対向する下板とを有し、
前記上板及び前記下板に、前記内幕板の前面を覆う化粧板を保持する保持部が設けられていることを特徴とするキャビネット。
【請求項６】
前記保持部は、複数の厚さの化粧板を保持可能に形成されていることを特徴とする請求項５に記載のキャビネット。
【請求項７】
前記保持部は、前記内幕板と第一の距離だけ離間して対向し、一の厚さの化粧板の前面を保持する第一の保持面と、前記内幕板と第二の距離だけ離間して対向し、他の厚さの化粧板の前面を保持する第二の保持面とを有することを特徴とする請求項６に記載のキャビネット。
【請求項８】
前記保持部は、一の厚さの化粧板の上端部又は下端部に当接して前記一の厚さの化粧板を保持するとともに、他の厚さの化粧板の上端部又は下端部に当接して前記他の厚さの化粧板を保持する保持斜面を有することを特徴とする請求項６に記載のキャビネット。
【発明の詳細な説明】
【技術分野】
【０００１】
本発明は、キャビネットの扉又は引出の前板の上方又は下方に設けられて手掛け用の空間を形成する内幕板部材と、これを備えたキャビネットに関する。
【背景技術】
【０００２】
システムキッチンや収納家具等を構成するキャビネットには、例えば特許文献１に記載されているように、扉又は引出の前板の上方又は下方に内幕板部材が設けられるものがある。同文献において、内幕板部材は、上下に並んだ引出の前板の間や（同文献の図３及び図４参照）、上下に並んだ引出の前板と扉との間に設けられ（同文献の図７参照）、使用者が引出や扉の開閉時にその引出の前板や扉に手指をかけるための手掛け用の空間を形成している。
【先行技術文献】
【特許文献】
【０００３】
【特許文献１】特許第４８５８３８３号公報
【発明の概要】
【発明が解決しようとする課題】
【０００４】
ところで、内幕板部材は、木質系材料や樹脂、金属等により形成され（特許文献１の段落００１９参照）、材質そのものに依拠した外観やそれに着色した外観を有するが、近年のユーザーの嗜好の多様化に合わせて様々に加飾し得ることが望ましい。
【０００５】
しかし、加飾のために材質や着色を種々異ならしめて内幕板部材を形成することはコストの観点から難しく、内幕板部材のバリエーションは、まとまった数の販売が見込まれるものだけに限られているのが現状である。
【０００６】
本発明は、上記の事情に鑑みてなされたもので、ユーザーの嗜好に合わせた様々な加飾を低廉に実現する内幕板部材と、これを備えたキャビネットを提供することを課題としている。
【課題を解決するための手段】
【０００７】
上記課題を解決するために、請求項１に係る発明は、キャビネットの扉又は引出の前板の上方又は下方に、前記扉又は前記前板から奥まって設けられる内幕板と、前記内幕板の上端部から前方に延在する上板と、前記内幕板の下端部から前方に延在して前記上板に対向する下板とを有し、前記上板及び前記下板に、前記内幕板の前面を覆う化粧板を保持する保持部が設けられている内幕板部材を特徴とする。
【０００８】
請求項２に係る発明は、請求項１に記載の内幕板部材において、前記保持部が、複数の厚さの化粧板を保持可能に形成されていることを特徴とする。
【０００９】
請求項３に係る発明は、請求項２に記載の内幕板部材において、前記保持部が、前記内幕板と第一の距離だけ離間して対向し、一の厚さの化粧板の前面を保持する第一の保持面と、前記内幕板と第二の距離だけ離間して対向し、他の厚さの化粧板の前面を保持する第二の保持面とを有することを特徴とする。
【００１０】
請求項４に係る発明は、請求項２に記載の内幕板部材において、前記保持部が、一の厚さの化粧板の上端部又は下端部に当接して前記一の厚さの化粧板を保持するとともに、他の厚さの化粧板の上端部又は下端部に当接して前記他の厚さの化粧板を保持する保持斜面を有することを特徴とする。
【００１１】
請求項５に係る発明は、扉又は引出を有し、前記扉又は前記引出の前板の上方又は下方に内幕板部材が設けられたキャビネットであって、前記内幕板部材は、前記扉又は前記前板から奥まって設けられる内幕板と、前記内幕板の上端部から前方に延在する上板と、前記内幕板の下端部から前方に延在して前記上板に対向する下板とを有し、前記上板及び前記下板に、前記内幕板の前面を覆う化粧板を保持する保持部が設けられていることを特徴とする。
【００１２】
請求項６に係る発明は、請求項５に記載のキャビネットにおいて、前記保持部が、複数の厚さの化粧板を保持可能に形成されていることを特徴とする。
【００１３】
請求項７に係る発明は、請求項６に記載のキャビネットにおいて、前記保持部が、前記内幕板と第一の距離だけ離間して対向し、一の厚さの化粧板の前面を保持する第一の保持面と、前記内幕板と第二の距離だけ離間して対向し、他の厚さの化粧板の前面を保持する第二の保持面とを有することを特徴とする。
【００１４】
請求項８に係る発明は、請求項６に記載のキャビネットにおいて、前記保持部が、一の厚さの化粧板の上端部又は下端部に当接して前記一の厚さの化粧板を保持するとともに、他の厚さの化粧板の上端部又は下端部に当接して前記他の厚さの化粧板を保持する保持斜面を有することを特徴とする。
【００１５】
本発明によれば、キャビネットの扉又は引出の前板の上方又は下方に、扉又は前板から奥まって設けられる内幕板と、内幕板の上端部から前方に延在する上板と、内幕板の下端部から前方に延在して上板に対向する下板とを有する内幕板部材の上板及び下板に、内幕板の前面を覆う化粧板を保持する保持部が設けられているので、内幕板の前面をそのままキャビネットの意匠を構成するものとせず、化粧板を保持部に保持させ、それをキャビネットの意匠を構成するものとすることができる。すなわち、内幕板部材の材質や着色を異ならしめなくても、化粧板の有無や変更だけで簡単に加飾を変更することができ、ユーザーの嗜好に合わせた様々な加飾を低廉に実現することができる。
【００１６】
とりわけ保持部が複数の厚さの化粧板を保持可能に形成されている場合には、内幕板の前面をそのままキャビネットの意匠を構成するものとすることや、ある化粧板を保持部に保持させ、それをキャビネットの意匠を構成するものとすることのみならず、その化粧板とは異なる厚さの別の化粧板を保持部に保持させ、それをキャビネットの意匠を構成するものとすることもでき、加飾のバリエーションを増加させることができる。
【００１７】
また、保持部が、内幕板と第一の距離だけ離間して対向し、一の厚さの化粧板の前面を保持する第一の保持面と、内幕板と第二の距離だけ離間して対向し、他の厚さの化粧板の前面を保持する第二の保持面とを有することによって、第一の距離に近い厚さを有する化粧板及び第二の距離に近い厚さを有する化粧板について、精度よく（がたつきが少なく）保持することができる。
【００１８】
一方、保持部が、一の厚さの化粧板の上端部又は下端部に当接してこれを保持するとともに、他の厚さの化粧板の上端部又は下端部に当接してこれを保持する保持斜面を有することによって、無段階的に様々な厚さの化粧板を保持することができる。
【発明の効果】
【００１９】
本発明によれば、ユーザーの嗜好に合わせた様々な加飾を低廉に実現する内幕板部材と、これを備えたキャビネットが得られる。
【図面の簡単な説明】
【００２０】
【図１】発明を実施するための形態に係るキャビネットを示す説明図である。
【図２】図１の内幕板部材を示し、（ａ）は正面側からみた斜視図、（ｂ）は背面側からみた斜視図である。
【図３】図１の内幕板部材を示し、（ａ）は長手方向端部の正面図、（ｂ）は側面図、（ｃ）は保持部を拡大して示す側面図である。
【図４】図１の内幕板部材のキャビネット本体への取付方法を示し、（ａ）は内幕板部材にＬ字状金具を取り付ける方法を示す説明図、（ｂ）は（ａ）の内幕板部材をキャビネット本体に取り付ける方法を示す説明図である。
【図５】図１の内幕板部材を示し、（ａ）は薄い化粧板を保持した状態を示す側面図、（ｂ）は厚い化粧板を保持した状態を示す側面図である。
【図６】内幕板部材の他の例を示し、（ａ）は薄い化粧板を保持した状態を示す側面図、（ｂ）は厚い化粧板を保持した状態を示す側面図である。
【図７】内幕板部材の連結状態を示し、（ａ）は正面図、（ｂ）は（ａ）のＡ−Ａ線に沿った断面図、（ｃ）は（ａ）のＢ−Ｂ線に沿った断面図である。
【発明を実施するための形態】
【００２１】
本発明を実施するための形態について、図面を用いて説明する。
【００２２】
図１は、本発明に係る内幕板部材を備えたシステムキッチン用のキャビネットを示す。このキャビネット１は、側板２ａ，２ａと、底板２ｂと、背板２ｃとを有して前方が開口する箱状のキャビネット本体２と、キャビネット本体２の前面側に出入自在に設けられる上段引出３及び下段引出４とを有する。上段引出３は、前板３ａと、側板３ｂ，３ｂと、底板３ｃと、背板３ｄとを有して上方が開口する箱状を呈し、下段引出４は、前板４ａと、側板４ｂ，４ｂと、底板４ｃと、背板４ｄとを有して上方が開口する箱状を呈している。キャビネット本体２の側板２ａの内面にはガイドレール２ｄが設けられ、上段引出３の側板３ｂ及び下段引出４の側板４ｂの外面には、それぞれ、ガイドレール２ｄ上をスライド可能なスライドレール３ｅ及びスライドレール４ｅが設けられ、上段引出３及び下段引出４がキャビネット本体２に対して前後にスライドして開閉可能となっている。
【００２３】
上段引出３の前板３ａと下段引出４の前板４ａとの間には、長尺状の内幕板部材５が設けられている。内幕板部材５は、図２及び図３に示すように、前板３ａ及び前板４ａから後方側に奥まって設けられる内幕板６と、内幕板６の上端部から前方に延在する上板７と、内幕板６の下端部から前方に延在して上板７に対向する下板８とを有して断面コ字状を呈し、上板７及び下板８の対向空間９は、使用者が上段引出３又は下段引出４の開閉時に前板３ａ又は前板４ａに手指をかけるための手掛け用の空間を形成している。
【００２４】
内幕板部材５の長手方向の寸法は、キャビネット本体２の幅方向の寸法と略同一であり、内幕板部材５の長手方向両端部がキャビネット本体２の側板２ａ，２ａに形成された切欠２ｅ，２ｅに嵌入される。内幕板６の後面（背面）には、一対の係合部１０，１０が形成され、図４に示すように、この一対の係合部１０，１０の間にＬ字状金具１１の一片である係合片１２が係合され（同図（ａ）参照）、Ｌ字状金具１１の他片である取付片１３がネジ１４によりキャビネット本体２の側板２ａの内面にネジ止めされて取り付けられることにより（同図（ｂ）参照）、内幕板部材５がキャビネット本体２に固定される。
【００２５】
内幕板部材５の上板７及び下板８には、それぞれ、内幕板６の前面を覆う化粧板１５（図１及び図５参照）を保持する保持部１６，１７が設けられている。保持部１６には、内幕板６に距離ｄ１だけ離間して対向する高さｈ１の縦面１８ａと、縦面１８ａの下縁から前方に距離ｄ２だけ延在する横面１８ｂと、横面１８ｂの前縁から下方に延在する高さｈ２の縦面１８ｃと、縦面１８ｃの下縁から前方に距離ｄ３だけ延在する横面１８ｄとを有する段部１８が設けられるとともに、横面１８ｄの前縁から上板７の内面まで延在する傾斜面１９ａを有する傾斜部１９が設けられている。また、保持部１７には、内幕板６に距離ｄ１だけ離間して対向する高さｈ１の縦面２０ａと、縦面２０ａの上縁から前方に距離ｄ２だけ延在する横面２０ｂと、横面２０ｂの前縁から上方に延在する高さｈ２の縦面２０ｃと、縦面２０ｃの上縁から前方に距離ｄ３だけ延在する横面２０ｄとを有する段部２０が設けられるとともに、横面２０ｄの前縁から下板８の内面まで延在する傾斜面２１ａを有する傾斜部２１が設けられている。
【００２６】
上板７の前端部には、上方に屈曲してなるフランジ部２２が内幕板部材５の全長に亘って形成され、内幕板部材５をキャビネット本体２に固定した場合に、その長手方向両端部が側板２ａの前面（切欠２ｅの直上部分）に当接する。同様に、下板８の前端部には、下方に屈曲してなるフランジ部２３が内幕板部材５の全長に亘って形成され、内幕板部材５をキャビネット本体２に固定した場合に、その長手方向両端部が側板２ａの前面（切欠２ｅの直下部分）に当接する。
【００２７】
化粧板１５は、内幕板６の前面側に、内幕板部材５の長手方向端部から挿脱可能に設けられる。化粧板１５の厚さをｄとすると、ｄ＜ｄ１のときには、図５（ａ）に示すように、縦面１８ａ，２０ａが化粧板１５の前面の上部及び下部を保持し、ｄ１＜ｄ＜ｄ１＋ｄ２のときには、同図（ｂ）に示すように、縦面１８ｃ，２０ｃが化粧板１５の前面の上部及び下部を保持する。化粧板１５は内幕板６に固定して内幕板部材５からの抜けや脱落を防止してもよいが、図１に示すようにキャビネット１を複数連結して端部に端板２４を設ける場合には、この端板２４により化粧板１５を押さえて内幕板部材５からの抜けや脱落を防止してもよい。
【００２８】
本形態に係るキャビネット１では、上段引出３の前板３ａの下方、及び、下段引出４の前板４ａの上方に、前板３ａ及び前板４ａから奥まって設けられる内幕板６と、内幕板６の上端部から前方に延在する上板７と、内幕板６の下端部から前方に延在して上板７に対向する下板８とを有する内幕板部材５の上板７及び下板８に、内幕板６の前面を覆う化粧板１５を保持する保持部１６，１７が設けられ、この保持部１６，１７が複数の厚さの化粧板を保持可能に形成されているので、内幕板６の前面をそのままキャビネットの意匠を構成するものとせず、厚さｄ（ｄ＜ｄ１）の化粧板を保持部１６，１７の縦面１８ａ，２０ａに保持させ、それをキャビネットの意匠を構成するものとしたり、あるいは、その化粧板とは異なる厚さｄ（ｄ１＜ｄ＜ｄ１＋ｄ２）の別の化粧板を保持部１６，１７の縦面１８ｃ，２０ｃに保持させ、それをキャビネットの意匠を構成するものとしたりすることができる。すなわち、内幕板部材５の材質や着色を異ならしめなくても、化粧板１５の有無や変更だけで簡単に加飾を変更することができ、ユーザーの嗜好に合わせた様々な加飾を低廉に実現することができる。
【００２９】
また、保持部１６，１７は、内幕板６と距離ｄ１だけ離間して対向する縦面１８ａ，２０ａと、内幕板６と距離ｄ１＋ｄ２だけ離間して対向する縦面１８ｃ，２０ｃとを有するので、化粧板１５が距離ｄ１に近い厚さを有する場合や、距離ｄ１＋ｄ２に近い厚さを有する場合について、それを精度よく保持することができる。
【００３０】
なお、保持部１６，１７には、図６に示すように、段部１８，２０の代わりに傾斜面２５ａ，２６ａを有する傾斜部２５，２６が設けられ、傾斜面２５ａ，２６ａが、それぞれ、厚さ約ｄ１の化粧板１５の上端部又は下端部に当接してこれを保持するとともに（同図（ａ）参照）、厚さ約ｄ１＋ｄ２の化粧板１５の上端部又は下端部に当接してこれを保持することとしてもよい（同図（ｂ）参照）。傾斜面２５ａ，２６ａは、他の厚さの化粧板１５についても、その上端部又は下端部に傾斜面２５ａ，２６ａが当接すれば保持することが可能で、無段階的に様々な厚さの化粧板を保持することができる。
【００３１】
以上、本発明を実施するための形態について例示したが、本発明の実施形態は上述したものに限られず、発明の趣旨を逸脱しない範囲で適宜変更等してもよい。
【００３２】
例えば、上記形態では、キャビネット１が引出のみを有する場合を説明したが、キャビネットが引出ではなく扉を有する場合にも本発明を適用することができる。
【００３３】
また、前板３ａと前板４ａとの間の隙間については、内幕板部材５で覆ってキャビネット本体２の内部の目隠しとするのではなく、その隙間を既存の（公知の）内幕板により覆った上で、その上から本発明に係る内幕板部材を被せることとしてもかまわない。
【００３４】
さらに、図５では、段部１８，２０が二種類の厚さの化粧板に対応する場合を図示したが、段部の段数を多くすることにより、三種類以上の厚さの化粧板に対応することとしてもよく、内幕板部材５のキャビネット本体２への取付けは、上記形態のようにＬ字状金具１１によらず、内幕板部材５の長手方向両端部に前面側（正面側）からネジや針等を通して切欠２ｅ，２ｅに固着してもよい。この際、内幕板６の一対の係合部１０，１０に（Ｌ字状金具ではなく）板状の連結金具が係合され、これが隣接する内幕板部材にも係合されてもよく、これにより、隣接する内幕板部材同士の前後方向、上下方向のずれが生じにくくなって、外観品質が向上する。図７は、内幕板部材５と、内幕板部材５よりも高さ寸法が大きい内幕板部材２７が隣接し、ネジ２８により切欠２ｅ，２ｅに固着された状態を示す。内幕板部材２７は、内幕板６よりも高さ寸法が大きい内幕板２９を有するほかは、内幕板部材５と同様に、上板７、下板８、一対の係合部１０，１０、保持部１６，１７及びフランジ部２２，２３を有し、内幕板部材５の一対の係合部１０，１０と内幕板部材２７の一対の係合部１０，１０に、板状の連結金具３０が係合されている。
【産業上の利用可能性】
【００３５】
本発明は、システムキッチン用のキャビネットのみならず、収納家具その他のキャビネットに広範に利用することができる。
【符号の説明】
【００３６】
１      キャビネット
２      キャビネット本体
３      上段引出（引出）
３ａ    前板
４      下段引出（引出）
４ａ    前板
５      内幕板部材
６      内幕板
７      上板
８      下板
１５    化粧板
１６    保持部
１７    保持部
１８    段部
１８ａ  縦面（第一の保持面）
１８ｃ  縦面（第二の保持面）
２０    段部
２０ａ  縦面（第一の保持面）
２０ｃ  縦面（第二の保持面）
２５    傾斜部
２５ａ  傾斜面（保持斜面）
２６    傾斜部
２６ａ  傾斜面（保持斜面）
２７    内幕板部材
２９    内幕板
【図１】
2015217177.tif 000003
【図２】
2015217177.tif 000004
【図３】
2015217177.tif 000005
【図４】
2015217177.tif 000006
【図５】
2015217177.tif 000007
【図６】
2015217177.tif 000008
【図７】
2015217177.tif 000009